(57)【特許請求の範囲】
【請求項１】
２つの無線通信システム（ＲＳ１，ＲＳ２）の間のインターシステムハンドオーバーの制御のための方法において、
第２の無線通信システム（ＲＳ２）に対して接続を形成するかまたは接続を形成した加入者局（ＵＥ）に対し、第２の専用のシグナリングチャネル（SIG.CH2）かまたは第２の無線通信システム（ＲＳ２）の放送チャネル（ＢＣＣＨ）において、低減されたトランスポートフォーマットコンビネーションセット（ＴＦＣＳ）をシグナリングし、
低減されたトランスポートフォーマットコンビネーションセット（ＴＦＣＳ）から、トランスポートフォーマット標識（ＴＦＣＩ）を選択し、該標識を用いて第１のシグナリングチャネル（SIG.CH1）および/または第１の無線通信システム（ＲＳ１）のシグナリングチャネルおよび/またはデータチャネルに対するハンドオーバーが開始されており、
第１のシグナリングチャネル（SIG.CH1）において加入者局（ＵＥ）に対する完全なトランスポートフォーマットコンビネーションセット（ＴＦＣＳ）がシグナリングされるようにしたことを特徴とする方法。
【請求項２】
第１の無線通信システム（ＲＳ１）に対するシグナリングおよび/またはデータチャネルに対するハンドオーバーが開始される、請求項１記載の方法。
【請求項３】
前記トランスポートフォーマット標識（TFCI）は、ビットマップコーディングを用いて符号化される、請求項１または２記載の方法。
【請求項４】
前記第１の無線通信システム（ＲＳ１）は、ＵＭＴＳ移動無線システムとして構成され、第２の無線通信システム（ＲＳ２）は、ＧＳＭ移動無線システムとして構成される、請求項１から３いずれか１項記載の方法。
【請求項５】
第２の無線通信システム（ＲＳ２）の第２のシグナリングチャネル（SIG.CH2）として、ＳＤＣＣＨ（Stand-Alone Dedicated Control Channel）または放送制御チャネル（ＢＣＣＨ）が用いられる、請求項１から４いずれか１項記載の方法。
【請求項６】
低減されたトランスポートフォーマットコンビネーションセット（ＴＦＣＳ）のデータが記憶されているメモリ領域を有していることを特徴とする、請求項１から５のいずれか１項に記載の方法を実施するための通信システム−加入者局(ＵＥ）。
【請求項７】
減されたトランスポートフォーマットコンビネーションセット（ＴＦＣＳ）のデータが記憶されているメモリ領域を有していることを特徴とする、請求項１から５のいずれか１項に記載の方法を実施するための通信システム−ネットワーク局(ＢＴＳ；ＮＢ；ＢＳＣ；ＲＮＣ）。
【発明の詳細な説明】
【０００１】
本発明は、インターシステムハンドオーバー、特にＧＳＭ移動無線システムとＵＭＴＳ移動無線システムの間のハンドオーバーの制御のための方法に関している。
【０００２】
ＵＭＴＳ移動無線システムに対する従来技術としては、ＵＭＴＳ標準化ドキュメント[3GPP:3G TS 25.212 V3.1.1, 1999-12, Multiplexing and channel coding(FDD)]〜[3GPP:3G TS 25.222 V3.1.1, 1999-12, Multiplexing and channel coding (TDD)]〜[3GPP: 3G TS 25. 331 V3.1.0, 2000-01, RRC Proocol Specification]に準拠する。また第２世代のＧＳＭ方式による移動無線システムの説明に対しては、一般的な従来技術として公知文献“Ｊ．Biala著の“Mobilfuk und Intelligent netze”Vieweg Verlag, 1995”が参照される。
【０００３】
無線通信システム、例えば欧州の第２世代のＧＳＭ方式（Global System for Communications）の移動無線システムにおいては、例えば音声データ、イメージデータ、もしくはその他のデータなどの情報が無線インターフェースを介して伝送される。無線インターフェースでは、１つまたは複数のリンクが基地局と多数の加入者局の間で構築される。この場合これらの加入者局は、例えば移動局または位置固定された無線局であり得る。電磁波の放射は、この場合搬送波周波数（これはそのつどのシステムに与えられた周波数帯域にある）を用いて行われる。将来的な無線通信システム、例えばＵＭＴＳ（Universal Mobile Telecommunication System）またはその他の第３世代のシステムに対しては、約２０００ＭＨｚの周波数帯域内にある周波数が用いられる。第３世代のＵＭＴＳ方式には、２つのモードが設けられており、この場合一方のモードはＦＤＤモード（Frequency Division Duplex）、もう一方のモードはＴＤＤモード（Time Division Duplex）と称される。これらのモードは、異なる周波数帯域で用いられる。この両モードは、いわゆるＣＤＭＡ方式（符号分割多元接続）でサポートされている。
【０００４】
第２世代と第３世代の無線通信システムの平行した存在とそれらの間の調和が望まれることに基づいて、１つの無線通信システム内で１つの接続を構築している加入者局には、とりわけ別の伝送モードでサポートされている別の無線通信システムへ接続を引渡す手段も与えられるべきである。この種のシステム間の接続の引渡しは、インターシステムハンドオーバとも称され、接続を引継ぐべき無線通信システムへの加入者局の同期化の他に使用されるトランスポートフォーマットの情報も前提とされる。その際準拠している従来技術によれば、ＵＭＴＳ移動無線システムの基地局から加入者局に、接続形成の際にいわゆるトランスポートフォーマットコンビネーションセットＴＦＣＳがシグナリングされる。それに続いて目下の利用されているトランスポートフォーマットの変更の際には、いわゆるトランスポートフォーマットコンビネーション識別子ＴＦＣＩが加入者局に対してシグナリングされる。これは可能なトランスポートフォーマットコンビネーションセットからどのトランスポートフォーマットが使用されるかを示している。
【０００５】
トランスポートフォーマットコンビネーションセットＴＦＣＳのシグナリングは、既知のＧＳＭシグナリングチャネル内の可能なトランスポートフォーマットコンビネーション識別子の数に依存して、２００オクテットまでの長さを有している。この長さは、有効なＧＳＭシグナリングチャネル容量の制限のある使用に基づいて非常に問題となる。
【０００６】
本発明の課題は、冒頭に述べたような形式の方法において、インターシステムハンドオーバーのシグナリングの最中に、少なくとも１つのシステムの信号チャネルの負担ができるだけ僅かで済むように改善を行うことである。
【０００７】
前記課題は、独立請求項の特徴部分に記載された本発明によって解決される。
【０００８】
本発明の別の有利な実施例は、従属請求項に記載されている。
【０００９】
本発明によれば、トランスポートフォーマットコンビネーションセットが低減され、低減された形態で、例えばＧＳＭ移動無線システムのシグナリングチャネル上の加入者局に対する転送に利用される。低減されたデータセットのデータを用いて作動可能にするために、当該方法に適した加入者局と相応の有効局は、対応するデータの記憶領域を有している。
【００１０】
図面には本発明の実施例が示されており、以下の明細書で詳細に説明される。ここで、
図１には、重畳した無線セル内に１つの加入者局が存在している、２つの隣接する無線通信システムのブロック回路図が示されている。
【００１１】
本発明によれば、２つの無線システムの領域における加入者局に対してハンドオーバーの２つの例示的なケースに区別できる。以下の説明では、ＧＳＭ移動無線システムからＵＭＴＳ移動無線システムへのハンドオーバーに基づくものとする。但し基本的にはこれの逆の方向も可能である。
【００１２】
第１のケースによれば、ＧＳＭモード内の接続形成プロシージャの間の１つのサービスが加入者局によって設けられる。これはＧＳＭシステムないしはＧＳＭ伝送チャネルでは使用できない（いわゆるベアラ）。このケースでは、サービスに基づくＧＳＭ移動無線システムからＵＭＴＳ無線システムへのハンドオーバーの必要性が生じる。
【００１３】
このフェーズにおいては、第１のシグナリングチャネルＳＤＣＣＨ（Stand-Alone Dedicated Control Channel）のみが、固定的に割当て可能な制御チャネルとして自立的に構築される。しかしながらＳＤＣＣＨの伝送容量は、全てのＴＦＣＳ情報（これは例えば２００オクテットまでの情報を含み得る）の伝送には不十分である。またこのフェーズでは、構築されるサービスもない。それ故にこの問題は、本発明によれば次のように解決される。すなわちシグナリングチャネルへのハンドオーバーを制限することによって解決される。最も簡単な方法によれば、例えばＵＭＴＳシステムへのハンドオーバーに対して、ＧＳＭシグナリングチャネルＧＳＭ−ＳＤＣＣＨを介して１つだけのトランスフォーマット標識ＴＦＣＩが用いられる。その際には、使用されるトランスポートフォーマット標識ＴＦＣＩの優先データが含まれていなければならない。
【００１４】
ＵＭＴＳシグナリングチャネルに対して行われたハンドオーバーの後では、ＵＭＴＳシステム内の使用すべきサービスに関する交渉が終了可能である。この場合はトランスフォーマット標識ＴＦＣＩによって、いわゆるＵＭＴＳ無線ベアラ構成情報（radio bearer configration informtion）内の通信チャネルに対する完全に使用可能なトランスポートフォーマットコンビネーションセットから加入者局がシグナリングされる。
【００１５】
より大きな融通性を可能にするために、１つのセットがＵＭＴＳシグナリングチャネルによって定められる。このことはネットワークに、低減されたシグナリングで、シグナリングチャネルにアクセス可能にする。例えば３２のＴＦＣＩセットのもとでは、低減されたシグナリングが例えば５ビットの簡単なビットマップコーディングによってシグナリングチャネルＳＤＣＣＨ内で転送される。
【００１６】
第２の例示的なケースでは、ＧＳＭ移動無線システムに対して既に接続が確立されており、さらにＵＭＴＳシステムによってしか得られないさらなるサービスの設立が要求される。ＵＭＴＳシステムの標準化の目下の時点では、“Release 99”が唯一回線交換サービス（ＣＳ−Circuit Switched）構築の可能性とみなされる。にもかかわらずこれは組合せ手段の拡大につながる。
【００１７】
既に前述したように、詳細なＴＦＣＩないしＴＦＣＳ処理がＵＭＴＳシステム内で行われるならば、シグナリングチャネルとＣＳサービスの少なくとも１つの組合せが合目的である。
【００１８】
“Release 99”による現下の従来技術の利点は、複数のサービスと種々異なるサービス品質を有する複数の伝送チャネルのハンドオーバーがＧＳＭ伝送チャネル上で無視できることである。この場合低減されたデータセットもしくは低減された標識の数によるシグナリングの構想は、同じような形態でこの種のプロシージャに対して拡張可能である。この理由から、シグナリングフェーズ内でのＴＦＣＩコーディングのもとでの完全な融通性は省かれる。
【００１９】
例えば所要のＣＳ転送チャネルとシグナリングチャネルの間で６４〜１２８の組合せの可能性が見なされるならば、ＴＦＣＩコーディングは、所要のボリュームを低減できる。可能なＴＦＣＩの完全なセットの代わりに、選択は、可能なＴＦＣＩのそのつどの可能な組合せを表わす所定のリストに制限される。組合せ手段のコーディングは、最初の考察ケースのように、例えば７ビットのビットマップコーディングを用いて行うことができる。
【００２０】
要約するとこの構想には、低減されたコンビネーションセット（これは加入者局においてもネットワーク内でも既知のものである）によって完全なＴＦＣＳ−シグナリングの置換えが含まれている。この低減されたシグナリングは、ＵＭＴＳシグナリングおよびデータチャネルもしくはＵＭＴＳシグナリングチャネルへの最初のハンドオーバーを可能にする。これは引続き完全に得られるＴＦＣＩコーディングの融通性の有効利用のもとでコネクションセットアップないしはサービスセットアップの中継のために用いられる。
【００２１】
図１には、無線通信システムの例として例えばＧＳＭおよびＵＭＴＳ移動無線システムにおける２つの移動無線システムＲＳ１，ＲＳ２からなるそれぞれの区分図が本発明の実施例として第１の実施形態で示されている。移動無線システムは、それぞれ多数の移動交換局ＭＳＣないしＵＭＳＣ（Mobile Switching Center bzw.UMTS-Mobile Switching Center)(これらは交換網ＳＳＳ(Switching SubSystem)に所属しそれぞれ相互にネットワーク化されるか固定網へのアクセスを構築する)と、これらの移動交換局（ＭＳＣ、ＵＭＳＣ)に接続される１つまたは複数の基地局システムＢＳＳ（Base Station Subsystem）からなっている。１つの基地局システムＢＳＳは、無線技法でリソースを割当てるための少なくとも１つの装置ＢＳＣ(Base Station Controller)ないしはＲＮＣ(Radio Network Controller)並びに少なくとも１つのそれぞれそれに接続された基地局ＢＴＳ（Base Transceiver Station）ないしＮＢ（Node B）を有している。
【００２２】
基地局ＢＴＳ，ＮＢは、無線インターフェースを介して加入者局ＵＥ（User Equipment）、例えば移動局、その他の移動端末、定常的な端末への接続を形成する。各基地局ＢＴＳ，ＮＢ毎に少なくとも１つの無線セルＺが形成される。この無線セルのサイズは、通常は、一般的なシグナリングチャネルＢＣＨ（Beacon Channel）ないしはＢＣＣＨ（Broadcast Control Channel）（これらは基地局ＢＴＳ、ＮＢから通信チャネルよりも強い送信電力で送信される）の到達範囲によって定まる。セクタ化されたセル構造または階層的なセル構造のもとでは、基地局ＢＴＳ、ＮＢ毎に複数の無線セルも給電可能である。この構造の機能性は、その他の無線通信システム上にも転送可能であり、その場合には本発明が特にワイヤレス加入者コネクションを有する加入者アクセス網に対して使用できる。
【００２３】
図１の例では、加入者局ＵＥが示されている。これは移動局として構成されており、ＵＭＴＳ標準方式に準拠している第１の移動無線システムＲＳ１とＧＳＭ標準方式に準拠している第２の移動無線システムＲＳ２の給電領域内に存在している。この加入者局ＵＥは、第２の移動無線システムＲＳ２の例示的に示されている基地局ＢＴＳとの接続を構築している。
【００２４】
接続の間、加入者局ＵＥは、自身を取り巻く基地局に対する無線インターフェースの伝送特性を周期的に評価し、それによって例えば第２の移動無線システムＲＳ２の基地局ＢＴＳに対する伝送品質が悪化した場合あるいはサービスの付加的なセットアップを実施したい場合などに、第１の移動無線システムＲＳ１の基地局ＮＢに対するハンドオーバーを引き起こす。同じような手法は、階層的なネットワーク構造のもとでも利用できる。例えば異なる階層面同士の接続、すなわちそれぞれが異なった周波数帯域で動作しているミクロセルからマクロセルへの接続などもハンドオーバーできる。
【００２５】
ハンドオーバーの実施に対しては、シグナリングチャネルSIG.GH1ないしSIG.CH2が、自立的で固定的に割当て可能な制御チャネルとして利用出来る。これは前述した有利なシグナリングプロシージャの説明の枠内で説明したように行われる。ハンドオーバーのシグナリングに対しては、ＵＭＴＳシステムのもとでは、トランスポートフォーマットコンビネーションセットＴＦＣＳが用いられる。これは多数のトランスポートフォーマットコンビネーション識別子ＴＦＣＩを有しており、これらは加入者局に対してシグナリングを行う。加入者局ＵＥが、第１の時点においてＧＳＭネットワークＲＳ２と接続を形成したならば、前述したようにハンドオーバーの開始のために、低減されたトランスポートフォーマットコンビネーションセットＴＦＣＳが用いられる。第１の通信システムに対して相応の接続が構築された後では、完全なトランスポートフォーマットコンビネーションセットＴＦＣＳが利用される。
【００２６】
変更された実施例によれば、特に低減された情報セットのシグナリングが様々なシグナリングチャネルを介して行われる（例えば他のコントロールとシグナリングの目的で既に存在しているメッセージ制御チャネルＢＣＣＨなどを介して）。それにより、低減されたトランスポートフォーマットコンビネーションセットＴＦＣＳの放送は、特に放送チャネルないしメッセージチャネルＢＣＣＨを介して行うことができるようになる。加入者局ＵＥには、例えばシグナリングチャネルSIG.CHを介して、ハンドオーバー命令と共に、専用のトランスポートフォーマットコンビネーション識別子ＴＦＣＩがシグナリングされ割当てられる。
【００２７】
このハンドオーバーは、例えばＵＭＴＳ移動無線システムのような将来的な無線通信システムにおいても、あるいは異なる伝送方式でサポートされている無線通信システム間においても実施可能なものである。さらなる適用ケースとして同じあるいは異なるシステム間、同じあるいは異なる伝送方式の間なども考えられる。
【図面の簡単な説明】
【図１】  本発明の実施例を示した図である。
【図１】
0003673757.tif 000002